【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
基材上のイメージインディシアの発光性イメージ成分を生成するための発光性トナー組成物であって、
第１の励起エネルギーを照射されたときに、第１の発光スペクトル領域内に１つまたは複数の発光ピークを有し、前記１つまたは複数の発光ピークのそれぞれが対応する発光波長の中心にある、光を放射するフォトルミネッセンス剤と、
電荷制御剤と、
１つまたは複数の添加剤とを含み、
前記フォトルミネッセンス剤、電荷制御剤、および１つまたは複数の添加剤は、前記トナー組成物が基材上にイメージ成分を生成するように印刷されるときに前記第１の励起エネルギーの照射に対する前記イメージ成分の前記発光スペクトルが前記フォトルミネッセンス剤の前記１つまたは複数の発光ピークに対応する前記第１の発光スペクトル領域内の主発光ピークのみを含むように、選択され、前記トナー組成物中に一定量存在する発光性トナー組成物。
【請求項２】
前記第１の発光スペクトル領域は、可視スペクトル領域、赤外線スペクトル領域、紫外線スペクトル領域、およびこれらの任意の組合せからなる群から選択されたスペクトル領域である請求項１に記載のトナー組成物。
【請求項３】
前記１つまたは複数の発光ピークは、単一主発光ピークのみを含む請求項１に記載のトナー組成物。
【請求項４】
前記フォトルミネッセンス剤は、可視光を照射されたときに可視スペクトルの光を放射しない請求項１に記載のトナー組成物。
【請求項５】
前記フォトルミネッセンス剤、電荷制御剤、および１つまたは複数の添加剤は、前記トナー組成物が基材上にイメージ成分を生成するように印刷されるときに前記イメージ成分が反射性可視となるように、選択され、前記トナー組成物中に一定量存在する請求項１に記載のトナー組成物。
【請求項６】
前記フォトルミネッセンス剤、電荷制御剤、および１つまたは複数の添加剤は、前記トナー組成物が基材上にイメージ成分を生成するように印刷されるときに前記イメージ成分が反射性不可視となるように、選択され、前記トナー組成物中に一定量存在する請求項１に記載のトナー組成物。
【請求項７】
前記フォトルミネッセンス剤は、ベンゾオキサゾールを含む請求項６に記載のトナー組成物。
【請求項８】
前記フォトルミネッセンス剤は、ベンゾチアゾールを含む請求項６に記載のトナー組成物。
【請求項９】
前記電荷制御剤は、電荷制御有効量だけ存在し、前記電荷制御有効量中の前記電荷制御剤は、反射性不可視である請求項１に記載のトナー組成物。
【請求項１０】
前記電荷制御剤は、可視光を照射されたときに可視スペクトル内の光を放射せず、前記第１の励起エネルギーを照射されたときに前記第１の発光スペクトル領域内の光を放射しないカリックスアレーン化合物と、可視光を照射されたときに前記可視スペクトル内の光を放射せず、前記第１の励起エネルギーを照射されたときに前記第１の発光スペクトル領域内の光を放射しない修飾層状ケイ酸塩と、可視光を照射されたときに前記可視スペクトル内の光を放射せず、前記第１の励起エネルギーを照射されたときに前記第１の発光スペクトル領域内の光を放射しない疎水性修飾金属酸化物とからなる群から選択された電荷制御剤を含む請求項１に記載のトナー組成物。
【請求項１１】
前記電荷制御剤は、可視光を照射されたときに前記可視スペクトル内の光を放射せず、前記第１の励起エネルギーを照射されたときに前記可視スペクトル内の光を放射しないカリックスアレーン化合物を含む請求項１に記載のトナー組成物。
【請求項１２】
前記トナー組成物が基材上にイメージ成分を生成するように印刷されるときに、前記イメージ成分は約２５以上のフォトルミネッセンストナー安定係数を有する請求項１に記載のトナー組成物。
【請求項１３】
前記トナー組成物が基材上にイメージ成分を生成するように印刷されるときに、前記イメージ成分は約４８以上のフォトルミネッセンストナー安定係数を有する請求項１に記載のトナー組成物。
【請求項１４】
基材上に、イメージインディシアを表す複数のイメージ成分を含むフルカラーの発光性イメージを形成するためのシステムであって、
複数のカラートナー組成物を備え、前記複数のカラートナー組成物のそれぞれは
第１の励起エネルギーを照射されたときに、第１の発光スペクトル領域内に１つまたは複数の主発光ピークを有し、前記１つまたは複数の主発光ピークのそれぞれが対応する発光波長の中心にある、光を放射するフォトルミネッセンス剤と、
電荷制御剤と、
１つまたは複数の添加剤とを含み、
前記フォトルミネッセンス剤、電荷制御剤、および１つまたは複数の添加剤は、前記トナー組成物が基材上にイメージ成分を生成するように印刷されるときに前記第１の励起エネルギーの照射に対する前記イメージ成分の前記発光スペクトルが前記フォトルミネッセンス剤の前記１つまたは複数の主発光極大に対応する前記第１の発光スペクトル領域内の主発光ピークのみを含むように、選択され、前記トナー組成物中に一定量存在するシステム。
【請求項１５】
前記複数のイメージ成分は、人間の肉眼には茶色に見える発光スペクトルを生成するように前記基材上の前記発光性イメージの少なくとも一部において組合せ可能である請求項１４に記載のシステム。
【請求項１６】
前記茶色は、約（１５０，７５，０）のＲＧＢ色空間を有する請求項１５に記載のシステム。
【請求項１７】
前記茶色は、約（１６４，８４，３０）のＲＧＢ色空間を有する請求項１５に記載のシステム。
【請求項１８】
さらに、基材上に発光性黒色イメージ成分を生成するように印刷されたときに、前記第１の励起エネルギーの照射に対する前記発光性黒色イメージ成分の発光スペクトルは前記第１の発光スペクトル領域内に主発光ピークを含まない発光性黒色トナー組成物を含む請求項１４に記載のシステム。
【請求項１９】
前記発光性黒色トナー組成物は、
前記第１の励起エネルギーを照射されたときに、前記第１の励起エネルギーを吸収し、前記第１の発光スペクトル領域内のエネルギーの放射を行わない発光性黒色物質と、
電荷制御剤と、
１つまたは複数の添加剤とを含む請求項１８に記載のシステム。
【請求項２０】
前記発光性黒色物質、電荷制御剤、および１つまたは複数の添加剤は、前記発光性黒色トナー組成物が基材上に発光性黒色イメージ成分を生成するように印刷されるときに前記発光性黒色イメージ成分が反射性不可視となるように、選択され、前記発光性黒色トナー組成物中に一定量存在する請求項１９に記載のシステム。
【請求項２１】
前記発光性黒色トナー組成物は、
前記第１の励起エネルギーを照射されたときに前記第１の発光スペクトル領域内で実質的に発光を有しない電荷制御剤と、
１つまたは複数の添加剤とを含み、
前記発光性黒色トナー組成物は、発光性黒色物質または他の顔料を含まない請求項１８に記載のシステム。
【請求項２２】
基材上にフルカラーの発光性イメージを形成するためのシステムであって、
可視光を照射されたときに前記可視スペクトル内の光を放射せず、第１の不可視励起波長の光を照射されたときに１つまたは複数の発光ピークを有する光を放射する第１の不可視発光性有効量の第１のフォトルミネッセンス剤および第１の発光性不可視電荷制御剤を有する第１のカラートナーと、
可視光を照射されたときに前記可視スペクトル内の光を放射せず、第２の不可視励起波長の光を照射されたときに１つまたは複数の発光ピークを有する光を放射する第２の不可視発光性有効量の第２のフォトルミネッセンス剤および第２の発光性不可視電荷制御剤を有する第２のカラートナーと、
可視光を照射されたときに前記可視スペクトル内の光を放射せず、第３の不可視励起波長の光を照射されたときに１つまたは複数の発光ピークを有する光を放射する第３の不可視発光性有効量の第３のフォトルミネッセンス剤および第３の発光性不可視電荷制御剤を有する第３のカラートナーとを備え、
前記第１、第２、および第３のトナーはそれぞれ、前記基材上に印刷されるときに前記フルカラーイメージのイメージ成分を生成し、前記第１の不可視励起波長の照射に対する前記第１のトナーの前記イメージ成分に対応する前記発光スペクトルは前記第１のフォトルミネッセンス剤の前記１つまたは複数の発光ピークに対応する主発光ピークのみを含み、前記第２の不可視励起波長の照射に対する前記第２のトナーの前記イメージ成分に対応する前記発光スペクトルは前記第１のフォトルミネッセンス剤の前記１つまたは複数の発光ピークに対応する主発光ピークのみを含み、前記第３の不可視励起波長の照射に対する前記第３のトナーの前記イメージ成分に対応する前記発光スペクトルは前記第１のフォトルミネッセンス剤の前記１つまたは複数の発光ピークに対応する主発光ピークのみを含むシステム。
【請求項２３】
前記第１、第２、および第３の不可視励起波長は、同じ波長である請求項２２に記載のシステム。
【請求項２４】
認証、情報、または装飾のためにイメージインディシアで物品をマークする方法であって、
複数のカラートナー組成物を提供するステップであって、前記複数のカラートナー組成物のそれぞれは
第１の励起エネルギーを照射されたときに、第１の発光スペクトル領域内に１つまたは複数の発光ピークを有し、前記１つまたは複数の発光ピークのそれぞれが対応する発光波長の中心にある、光を放射するフォトルミネッセンス剤と、
電荷制御剤と、
１つまたは複数の添加剤とを含み、
前記フォトルミネッセンス剤、電荷制御剤、および１つまたは複数の添加剤は、前記トナー組成物が基材上にイメージ成分を生成するように印刷されるときに前記第１の励起エネルギーの照射に対する前記イメージ成分の前記発光スペクトルが前記フォトルミネッセンス剤の前記１つまたは複数の発光ピークに対応する前記第１の発光スペクトル領域内の主発光ピークのみを含むように、選択され、前記トナー組成物中に一定量存在する、ステップと、
基材上に前記イメージインディシアの少なくとも一部を構成する複数のイメージ成分を印刷するステップとを含む方法。
【請求項２５】
認証、情報、または装飾のためにイメージインディシアで物品をマークするために発光性トナー組成物を生成する方法であって、
第１の励起エネルギーを照射されたときに、第１の発光スペクトル領域内に１つまたは複数の主発光ピークを有し、前記１つまたは複数の主発光ピークのそれぞれが対応する発光波長の中心にある、光を放射するフォトルミネッセンス剤を選択するステップと、
前記フォトルミネッセンス剤と化学的に親和性があり、可視光を照射されたときに前記可視スペクトル内の光を放射せず、前記第１の励起エネルギーを照射されたときに前記第１の発光スペクトル領域内の光を放射しない電荷制御剤を選択するステップと、
前記フォトルミネッセンス剤および前記電荷制御剤と親和性があり、可視光を照射されたときに前記可視スペクトル内の光を放射せず、前記第１の励起エネルギーを照射されたときに前記第１の発光スペクトル領域内の光を放射しない１つまたは複数の添加剤を選択するステップと、
前記フォトルミネッセンス剤、電荷制御剤、および１つまたは複数の添加剤を組み合わせて、基材上にイメージ成分を生成するように印刷されたときに前記第１の励起エネルギーの照射に対する前記イメージ成分の前記発光スペクトルが前記フォトルミネッセンス剤の前記１つまたは複数の主発光ピークに対応する主発光ピークのみを含むような発光性トナー組成物を形成するステップとを含む方法。
【請求項２６】
基材上のイメージインディシアの発光性イメージ成分を生成するための発光性トナー組成物であって、
第１の励起エネルギーを照射されたときに、第１の発光スペクトル領域内に１つまたは複数の発光ピークを有し、前記１つまたは複数の発光ピークのそれぞれが対応する発光波長の中心にある、光を放射するフォトルミネッセンス剤と、
電荷制御剤と、
１つまたは複数の添加剤とを含み、
前記フォトルミネッセンス剤、電荷制御剤、および１つまたは複数の添加剤は前記トナー組成物が基材上にイメージ成分を生成するように印刷されたときに前記イメージ成分が約２５以上のフォトルミネッセンストナー安定係数を有するように、選択され、前記トナー組成物中に一定量存在する発光性トナー組成物。
【請求項２７】
前記トナー組成物が基材上にイメージ成分を生成するように印刷されるときに、前記イメージ成分は約４８以上のフォトルミネッセンストナー安定係数を有する請求項２６に記載のトナー組成物。
【請求項２８】
前記フォトルミネッセンストナー安定係数は、式
【数２】
2010537250.tif 000001
に従って計算される請求項２６に記載のトナー組成物。
【請求項２９】
前記フォトルミネッセンストナー安定係数は、式
ＰＴＳＦ＝（（１−ＡＬＦ−ＸＥ）×ＡＬＦ−ＱＵＶ／ＣＰ）×１００
に従って計算され、
ただし、ＰＴＳＦは、前記フォトルミネッセンストナー安定係数であり、ＡＬＦ−ＸＥは、前記イメージ成分が５０℃の温度で前記キセノンアーク露光から２５．４０ｃｍ（１０インチ）離した、３４０ｎｍ、０．３５Ｗ／ｍ２の７日間キセノンアーク露光の３日目から７日目までの前記イメージ成分のフォトルミネッセンスの平均損失であり、ＡＬＦ−ＱＵＶは、ＱＵＶ露光条件に前記イメージ成分を曝す３日目から７日目までの前記イメージ成分のフォトルミネッセンスの平均損失であり、ＣＰは、前記キセノンアーク露光および前記ＱＵＶ露光の前に前記第１の励起エネルギーを照射されたときに前記イメージ成分に対する発光スペクトルの望ましいスペクトル領域内の主発光ピークの数である請求項３６に記載のトナー組成物。